(57)【要約】 【課題】  治具が不正に挿入されたことを検知できるようにする。【解決手段】  解除部３２がランス１５の係止部１７に正しく係止されている状態では、識別部３７がコネクタハウジング１１の外部において型抜き空間１８の開口縁よりも所定寸法だけ前方に位置する。これに対し、解除部３２が係止部１７と係止せずに撓み空間２０内まで挿入されたときには、識別部３７が正規の位置よりも後方に位置する。したがって、この識別部３７が正規の位置に存在しているか否かに基づいて、治具３０の解除部３２がランス１５の係止部１７に対して正しく係止されているか否かを検知することができる。【選択図】  図８
2005063922.tif 000002
【特許請求の範囲】
【請求項１】
コネクタハウジングに、キャビティと、前記キャビティの内壁に沿って前方へ延出した形態のランスと、前記コネクタハウジングの前端面に開口するとともに前記ランスの弾性撓みを許容する型抜き空間とが形成され、前記キャビティに挿入された前記端子金具を前記ランスの係止により抜止めするようになっているコネクタに使用され、
前方から前記型抜き空間に差し込まれて先端の解除部を前記ランスの係止部に係止させた状態で、前記コネクタハウジングの前端面における前記型抜き空間の開口縁への当接位置を支点として傾動されることで、前記ランスを変位させつつ前記端子金具から解離させるようにした解除治具であって、
前記解除部が前記ランスの前記係止部に係止した状態において、前記型抜き空間の開口縁よりも前方に位置する識別部が設けられていることを特徴とする解除治具。
【請求項２】
前記識別部は、前記解除部が前記ランスの前記係止部に係止した正規挿入状態において前記コネクタハウジングの前端面に対して間隔を空けて対向する形態とされていることを特徴とする請求項１記載の解除治具。
【発明の詳細な説明】
【技術分野】
【０００１】
本発明は、コネクタにおいて端子金具に対するランスの係止を解除するための解除治具に関するものである。
【背景技術】
【０００２】
コネクタとして、図１６に示すように、合成樹脂製のコネクタハウジング１００内にキャビティ１０１が形成されるとともに、キャビティ１０１の内壁に沿って前方へ突出するランス１０２が形成され、コネクタハウジング１００の前端面に開口するとともにランス１０２の弾性撓みを許容する型抜き空間１０３が形成され、後方からキャビティ１０１内に挿入した端子金具１０４がランス１０２の係止によって抜止めされるようにしたものがある。
【０００３】
端子金具１０４を抜き取る際には、細長い解除治具１０５を前方から型抜き空間１０３内に差し込み、図１６（Ａ）に示すように、その先端の解除部１０５ａをランス１０２に係止させ、治具１０５を傾けることによってランス１０２を変位させることで端子金具１０４から解離させる。治具１０５を傾ける際には、型抜き空間１０３の開口縁に治具１０５の突当部１０５ｂを前方から突き当て、この突当部１０５ｂを支点として治具１０５を傾けるようになっている。
【０００４】
尚、撓み空間に挿入した治具によってランスを端子金具から解離させる技術については、特許文献１に開示されている。
【特許文献１】実開昭５７−１３８２８５号公報
【発明の開示】
【発明が解決しようとする課題】
【０００５】
型抜き空間１０３の奥側には、ランス１０２が端子金具１０４から解離する際にランス１０２の変位を許容するための撓み空間１０６が確保されているが、治具の挿入角度が不正である場合に、治具１０５の先端が、図１６（Ｂ）に示すように、ランス１０２に係止せずに、ランス１０２よりも低い位置、即ち撓み空間１０６と対応する高さに位置する虞がある。
【０００６】
ところが、この不正な挿入状態においても、正規の挿入状態と同じく治具１０５の突当部１０５ｂが型抜き空間１０３の開口縁に突き当たるため、外部から目視しただけでは、治具１０５がランス１０２に係止している状態との区別がつかない、という問題がある。
【０００７】
本発明は上記のような事情に基づいて完成されたものであって、治具が不正に挿入されたことを検知できるようにすることを目的とする。
【課題を解決するための手段】
【０００８】
上記の目的を達成するための手段として、請求項１の発明は、コネクタハウジングに、キャビティと、前記キャビティの内壁に沿って前方へ延出した形態のランスと、前記コネクタハウジングの前端面に開口するとともに前記ランスの弾性撓みを許容する型抜き空間とが形成され、前記キャビティに挿入された前記端子金具を前記ランスの係止により抜止めするようになっているコネクタに使用され、前方から前記型抜き空間に差し込まれて先端の解除部を前記ランスの係止部に係止させた状態で、前記コネクタハウジングの前端面における前記型抜き空間の開口縁への当接位置を支点として傾動されることで、前記ランスを変位させつつ前記端子金具から解離させるようにした解除治具であって、前記解除部が前記ランスの前記係止部に係止した状態において、前記型抜き空間の開口縁よりも前方に位置する識別部が設けられているところに特徴を有する。
【０００９】
請求項２の発明は、請求項１に記載のものにおいて、前記識別部は、前記解除部が前記ランスの前記係止部に係止した正規挿入状態において前記コネクタハウジングの前端面に対して間隔を空けて対向する形態とされているところに特徴を有する。
【発明の効果】
【００１０】
＜請求項１の発明＞
解除部がランスの係止部に正しく係止されている状態では、識別部がコネクタハウジングの外部において型抜き空間の開口縁よりも所定寸法だけ前方に位置する。これに対し、解除部が係止部と係止せずに正規位置よりも奥方の位置まで挿入されたときには、識別部が正規の位置よりも後方に位置する。したがって、識別部が正規の位置に存在しているか否かに基づいて、治具の解除部がランスの係止部に対して正しく係止されているか否かを検知することができる。
【００１１】
＜請求項２の発明＞
治具の解除部がランスから外れた場合には、識別部がコネクタハウジングの前端面に突き当たることによって、それ以上の治具の挿入が規制される。したがって、治具が過剰に挿入されて型抜き空間の内壁を傷つけることを防止することができる。
【発明を実施するための最良の形態】
【００１２】
＜実施形態１＞
以下、本発明を具体化した実施形態１を図１乃至図１５を参照して説明する。
【００１３】
本実施形態の解除治具３０（以下、単に「治具３０」という）が使用されるコネクタ１０について説明する。コネクタ１０は、合成樹脂製のコネクタハウジング１１とこのコネクタハウジング１１内に挿入される端子金具２１とからなる。コネクタハウジング１１内には、前後方向に細長く、横断面形状が略方形をなすキャビティ１２が形成されている。キャビティ１２の前端部においては、コネクタハウジング１１の前面壁１１Ｆを前後に貫通するとともにその前端面に開口するタブ挿入口１３が形成され、キャビティ１２の後端部はコネクタハウジング１１の後端面に端子挿入口１４として開口されている。キャビティ１２の前端部には、そのキャビティ１２の下面壁に沿って前方へ片持ち状に延出するランス１５が形成されている。
【００１４】
ランス１５の上面はキャビティ１２の底壁面よりも高い位置にあり、そのランス１５の上面には幅方向中央部を切欠した形態の溝１６が形成されている。溝１６は、前後方向（キャビティ１２に対する端子金具２１の挿入方向と平行な方向）に長く延び、ランス１５の後端から前端面に達している。ランス１５の前端面における左右両端部には、一対の係止部１７が形成されている。係止部１７は、側方（型抜き空間１８に対する治具３０の挿入方向と交差する方向）から視て三角形状に切欠することでランス１５の前端面側に口を開いた形態であり、溝１６の溝底面とほぼ同じ高さの水平面１７ａと、この水平面１７ａの後端から前下がりに延びる傾斜面１７ｂとを有する。水平面１７ａは、型抜き空間１８に対する治具３０の正規の挿入方向と平行であり、傾斜面１７ｂは、治具３０の正規挿入方向に対して斜め方向をなす。かかるランス１５の幅方向中心はキャビティ１２の幅方向中心と合致しており、また、ランス１５の幅寸法は、キャビティ１２の幅及びキャビティ１２に挿入される端子金具２１の幅よりも狭くなっている。
【００１５】
キャビティ１２の前端部の下方には、ランス１５を金型成型する際に形成された型抜き空間１８が存在している。型抜き空間１８は、コネクタハウジング１１の前端面において略方形に開口している。また、型抜き空間１８の幅方向中心は、キャビティ１２及びランス１５の幅方向中心と合致しており、型抜き空間１８の幅寸法は、ランス１５及びキャビティ１２の前端部の幅寸法よりも大きい寸法とされている。したがって、前方（型抜き空間１８に対して治具３０が挿入される方向）から視たときに、ランス１５の左右両外側面と型抜き空間１８の左右両内壁面との間には、縦長方形の空間が空いている。また、型抜き空間１８の上面壁１８ａの高さは、弾性撓みしていない自由状態におけるランス１５の上面とほぼ同じ高さとされ、この高さは、キャビティ１２の底壁面１２ａよりも高い位置となっている。
【００１６】
型抜き空間１８の前端部は、上下左右の各内壁面で囲まれており、その上壁面、即ちコネクタハウジング１１の前面壁１１Ｆの下面は、型抜き空間１８に治具３０を挿入する際の案内手段となるガイド面１９となっている。ガイド面１９は、型抜き空間１８に対する治具３０の正規挿入方（キャビティ１２に対する端子金具２１の挿入方向と平行な方向）と平行な平坦面であり、全幅領域に亘って一定の高さとなっている。このガイド面１９の高さは、キャビティ１２の底壁面１２ａよりも高く、自由状態におけるランス１５の上面とほぼ同じ高さとなっている。また、コネクタハウジング１１の前面壁１１Ｆの後端とランス１５の前端とは前後方向に離間しており、この離間領域においては、型抜き空間１８とキャビティ１２とが上下に連通している。
【００１７】
型抜き空間１８の後端側領域（前方から視て型抜き空間１８よりも奥方の領域）、即ちランス１５の下方領域は撓み空間２０となっており、上記したランス１５はキャビティ１２と型抜き空間１８との境界位置に配されていることになる。この撓み空間２０により、ランス１５が下方（端子金具２１への係止を解除する方向）へ弾性撓みすることが許容されている。
【００１８】
端子金具２１は、その略前半部分が角筒状の嵌合部２２とされており、この嵌合部２２内には弾性接触片２４が設けられている。嵌合部２２の下面壁は上下に重ねられた二枚板構造であり、下側の板部２２ａには、その前端部よりも少し後方の領域を下方へ叩き出した形態の抜止め突起２３が形成されている。抜止め突起２３は、幅方向中央位置に配され、幅方向においてランス１５の溝１６と対応している。端子挿入口１４から端子金具２１がキャビティ１２内に挿入される過程では、抜止め突起２３がランス１５の上面の溝１６に当接（摺接）してランス１５を下方（撓み空間２０側）へ弾性撓みさせるようになっている。端子金具２１が、その前端面をコネクタハウジング１１の前面壁１１Ｆに突き当てる正規位置まで挿入されると、抜止め突起２３がランス１５を通過し、これに伴ってランス１５が弾性復帰する。弾性復帰したランス１５の前端面は、抜止め突起２３に対して後方から係止又は近接して対向し、これにより、端子金具２１の後方への移動（キャビティ１２からの抜け）が規制され、端子金具２１が正規挿入位置に保持される。
【００１９】
この正規挿入状態では、嵌合部２２の下側の板部２２ａと抜止め突起２３が、ガイド面１９よりも下方（型抜き空間１８内）へ突出した状態となる。また、ランス１５の左右両端部の係止部１７は、抜止め突起２３に対してその外側方へ外れた位置にある。そして、ランス１５による抜止め状態を解除して端子金具２１をキャビティ１２から後方へ抜き取る際には、治具３０を用いてランス１５を下方へ弾性撓みさせることで、ランス１５を抜止め突起２３とは非干渉の下方位置（撓み空間２０内）へ退避させる。以下、治具３０について説明する。
【００２０】
治具３０は、作業者が把持するための把持部３１と、把持部３１の先端面から突出する解除部３２とを有している。把持部３１は、前後方向に沿って細長い方形断面の略ブロック状に形成されている。
【００２１】
解除部３２は、把持部３１よりも幅狭に形成され、解除部３２のうち把持部３１の先端面に連なるほぼ１／４の長さの基端部は厚肉部３３となっており、この厚肉部３３から解除部３２の先端に至るほぼ３／４の長さに亘る領域は、厚肉部３３よりも上面の高さが低くなった薄肉部３４となっている。
【００２２】
薄肉部３４は、先端側部分において二股状に分岐した形態となっており、この分岐部分が一対の操作アーム３５となっている。この操作アーム３５間のピッチは、端子金具２１の抜止め突起２３の幅寸法よりも僅かに広く、且つランス１５の左右両係止部１７間のピッチとほぼ等しく設定されている。これにより、両操作アーム３５の先端部が抜止め突起２３との干渉を回避しつつランス１５の両係止部１７内に進入可能とされるとともに両係止部１７を下方（撓み空間２０側）へ押圧可能となっている。両操作アーム３５の先端部下面は、係止部１７の傾斜面１７ｂに整合可能な勾配をもったテーパ面３６となっている。
【００２３】
把持部３１の前端部は本発明の識別部３７となっており、この識別部３７の前端面のうち解除部３２よりも上方の領域は、治具３０の挿入方向と直角な面を僅かに後傾させた規制面３８となっている。規制面３８（識別部３７の前端）から操作アーム３５の先端までの長さは、コネクタハウジング１１の前端面からランス１５の係止部１７の奥端までの長さよりも大きい寸法とされている。
【００２４】
次に、本実施形態の作用を説明する。
【００２５】
キャビティ１２に正規挿入されている端子金具２１を抜き取る際には、コネクタハウジング１１の前方から操作アーム３５を先に向けて治具３０を型抜き空間１８内に挿入し、操作アーム３５の先端をランス１５の係止部１７内に嵌合させる。これにより、治具３０のテーパ面３６が、係止部１７の傾斜面１７ｂに対して上から係止又は近接して対向した状態となる。また、二股の操作アーム３５の間には、抜止め突起２３が進入した状態となる。さらに、操作アーム３５が係止部１７の奥端に突き当たるため、治具３０のそれ以上の挿入動作が規制され、規制面３８は、コネクタハウジング１１の前端面に対してその前方に離間した位置にある。
【００２６】
この後は、ガイド面１９に治具３０の厚肉部３３の上面を当接させ、ガイド面１９の前端縁（前面壁１１Ｆの前端面における下端縁）を支点として治具３０を前下がりの向きに傾けると、ランス１５が下方へ弾性変形させられて抜止め突起２３から解離し、もって、端子金具２１がランス１５による抜止め状態から解放される。あとは、治具３０の姿勢を保ったまま（ランス１５の弾性撓み状態を保ったまま）で、端子金具２１をキャビティ１２から引き抜けばよい。
【００２７】
上記のように、治具３０の解除部３２がランス１５の係止部１７に係止した正規挿入状態においては、図７に示すように、治具３０の識別部３７（規制面３８）がコネクタハウジング１１の外部において型抜き空間１８の開口縁よりも所定寸法だけ前方に位置する。
【００２８】
ところが、ランス１５の下方には撓み空間２０が確保されているため、治具３０が正規の姿勢よりも前下がりの姿勢で挿入されたときに、図９に示すように、操作アーム３５がランス１５の係止部１７に係止せずに撓み空間２０内に進入してしまうことが懸念されるが、この不正な挿入状態となった場合は、識別部３７が図７に示す正規位置よりも後方（治具３０の挿入方向における先方）に位置する。
【００２９】
したがって、本実施形態では、識別部３７が型抜き空間１８の前端縁よりも前方の正規位置に存在しているか否かに基づいて、治具３０の解除部３２がランス１５の係止部１７に対して正しく係止されているか否かを検知することができる。
【００３０】
また、識別部３７は、解除部３２の先端の操作アーム３５がランス１５の係止部１７に係止した正規挿入状態においてコネクタハウジング１１の前端面に対して間隔を空けて対向するようになっている。そして、操作アーム３５がランス１５から外れて撓み空間２０内に挿入された場合には、識別部３７がコネクタハウジング１１の前端面に突き当たることによって、それ以上の治具３０の挿入が規制されるが、ここで、規制面３８（識別部３７の前端）から操作アーム３５の先端までの長さは、コネクタハウジング１１の前端面から撓み空間２０の奥端（後端）までの距離よりも短い寸法とされている。したがって、治具３０が不正に挿入された場合でも、治具３０が過剰に挿入されて撓み空間２０の内壁を傷つける虞がない。
【００３１】
＜実施形態２＞
次に、本発明を具体化した実施形態２を図１０乃至図１５を参照して説明する。
【００３２】
本実施形態２は、コネクタ４０を実施形態１のコネクタ１０とは異なる形態としたものである。即ち、コネクタハウジング４１の上面には、図示しない相手側コネクタとの嵌合時にその嵌合状態を保持するためのロックアーム４２が設けられている。また、コネクタハウジング４１には、その前方から枠体４３が装着されるようになっている。枠体４３は、コネクタハウジング４１の前端部に対して上下左右へのガタ付きなく外嵌されるようになっているとともに、装着状態においてロックアーム４２に係止するロック部４４が形成されている。また、装着状態においては、枠体４３の角筒部４５がコネクタハウジング４１の前端から前方へ突出する。尚、コネクタハウジング４１のキャビティ１２の前端部分の形状及び形態と、端子金具２１の形状及び形態、解除用の治具３０の形状及び形態は、いずれも上記実施形態１と同じであるため、同じ構成については同一の符号を付すに留め、詳しい説明は省略する。
【００３３】
キャビティ１２に挿入されている端子金具２１を抜き取る際には、まず、コネクタハウジング４１に対して前方から枠体４３を組み付ける。この状態では、コネクタハウジング４１の前端面（型抜き空間１８の開口部を含む）が角筒部４５の内部空間を通して角筒部４５の前方へ連通している。そして、治具３０を前方から角筒部４５内に差し込み、さらに型抜き空間１８内に挿入し、先端の解除部３２をランス１５の係止部１７に係止させる（図１２を参照）。
【００３４】
この状態から、治具３０の把持部３１を手の人差し指から薬指又は小指までを下から宛がうとともに、親指を角筒部４５の上面に宛がい、この親指を略支点として他の指を持ち上げるようにすることにより、治具３０を型抜き空間１８の開口縁上縁を支点として傾ける。この治具３０の傾きに伴ない、ランス１５が下方へ変位して端子金具２１に対する抜止めを解除する。
【００３５】
また、角筒部４５はコネクタハウジング４１に外嵌されるため、角筒部４５の幅寸法はコネクタハウジング４１の幅寸法よりも大きく、角筒部４５の上面側縁部はコネクタハウジング４１の上面側縁部よりも外側方へ張り出している。つまり、幅方向最端部において親指を宛がうことのできる領域は、コネクタハウジング４１に比べて角筒部４５の方が幅広となっている。したがって、幅方向における最端部に位置する型抜き空間１８に治具３０を挿入して抜止め解除する際には、枠体４３をコネクタハウジング４１に取り付けることによって治具３０の操作性が向上する。
【００３６】
尚、この枠体４３は、コネクタハウジング５１の高さ寸法及びロックアーム５２の形状、配置、寸法が上記コネクタ４０のコネクタハウジング４１及びロックアーム４２と同一であって、極数がコネクタ４０よりも少ない別種のコネクタ５０にも適用することができる（図１５を参照）。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３８】
（１）上記実施形態では、治具がランスから外れた不正挿入状態において、識別部がコネクタハウジングの前端面に突き当たるようにしたが、本発明によれば、治具がランスから外れた不正挿入状態で、識別部がコネクタハウジングの前端面に対して前方に離間して位置するようにしてもよく、あるいは、識別部が撓み空間の内部に収容されるようにしてもよい。
【００３９】
（２）識別部は、型抜き空間内に収容される収容領域の上面に対して凹んだ形態としてもよく、収容領域とは異なる色に着色した形態でもよい。
【００４０】
（３）上記実施形態では端子金具の一部がガイド面よりも型抜き空間側へ突出するコネクタに使用される場合について説明したが、本発明の解除治具は、端子金具の一部が型抜き空間側へ突出しない形態のコネクタにも使用できる。
【００４１】
（４）上記実施形態では端子金具におけるランスとの係止部が突起状をなす場合について説明したが、本発明によれば、端子金具におけるランスとの係止部が突起状をなす場合に限らず、端子金具の下面（撓み空間との対向面）に開口する孔でもよい。この場合、解除部は二股でなくてもよい。
【図面の簡単な説明】
【００４２】
【図１】実施形態１において治具を挿入する前の状態をあらわす断面図
【図２】コネクタハウジングの内部をあらわす一部切欠斜視図
【図３】治具の正面図
【図４】治具の平面図
【図５】治具の断面図
【図６】図１の部分拡大図
【図７】治具を正規位置まで挿入した状態をあらわす部分拡大断面図
【図８】治具を操作してランスを端子金具から解離させた状態をあらわす部分拡大断面図
【図９】治具が不正位置へ挿入された状態をあらわす断部分拡大断面図
【図１０】実施形態２においてコネクタハウジングから枠体を外した状態をあらわす断面図
【図１１】コネクタハウジングに枠体を組み付けた状態をあらわす断面図
【図１２】治具を挿入した状態をあらわす断面図
【図１３】治具によってランスを端子金具から解離させた状態をあらわす断面図
【図１４】コネクタハウジングから枠体を外した状態をあらわす正面図
【図１５】別種のコネクタに枠体を装着した状態をあらわす正面図
【図１６】（Ａ）従来例において治具がランスに係止した状態をあらわす断面図  （Ｂ）従来例において治具がランスから外れた状態をあらわす断面図
【符号の説明】
【００４３】
１０…コネクタ
１１…コネクタハウジング
１２…キャビティ
１５…ランス
１７…係止部
１８…型抜き空間
３０…解除治具
３２…解除部
３７…識別部
【図１】
2005063922.tif 000003
【図２】
2005063922.tif 000004
【図３】
2005063922.tif 000005
【図４】
2005063922.tif 000006
【図５】
2005063922.tif 000007
【図６】
2005063922.tif 000008
【図７】
2005063922.tif 000009
【図８】
2005063922.tif 000010
【図９】
2005063922.tif 000011
【図１０】
2005063922.tif 000012
【図１１】
2005063922.tif 000013
【図１２】
2005063922.tif 000014
【図１３】
2005063922.tif 000015
【図１４】
2005063922.tif 000016
【図１５】
2005063922.tif 000017
【図１６】
2005063922.tif 000018